(57)【特許請求の範囲】
【請求項１】
（Ａ）（ａ）円柱材を切削して形成されるホルダーと、
（ｂ）前記ホルダーの一端の外周を先細に切削して形成したテーパー部と、
（ｃ）前記テーパー部の内周を切削して形成したボールハウスと、
（ｄ）前記ホルダーの他端から前記ボールハウスの近傍まで穿孔して形成したバック孔と、
（ｅ）前記ボールハウスと前記バック孔との間を貫通して形成した断面円形の孔であるインク孔と、
（ｆ）前記インク孔の周囲に等配された複数箇所を前記ボールハウス側から切削して該インク孔に開放するように形成した溝であるチャンネル溝と、
（ｇ）前記ボールハウス内に挿入される筆記ボールと、
（ｈ）前記ボールハウスの底面であって前記筆記ボールをバック孔方向へ押圧した際に該筆記ボールの曲面が転写されたボール受座と、
（ｉ）前記テーパー部の先端部分を内側にカシメ加工して形成したカシメ部と、
（ｊ）前記バック孔内部に挿入されるとともに先端部分が前記筆記ボールを先端へ押圧する押圧棒として形成されている押し荷重が０．０１Ｎ以上かつ０．０９Ｎ以下のスプリングとを備えたボールペンチップと、
（Ｂ）粘度が５００ｍＰａ・ｓｅｃ以上の油性インクを収容した両端開放円筒状のインク収容管と、
（Ｃ）前記インク収容管と前記ボールペンチップとを連結する継手と
を備えたボールペンリフィルであって、
前記ボールハウス内径が前記筆記ボール径の１０１．５％以上かつ１０５．５％以下であり、
前記ボール受座径が前記筆記ボール径の８５．０％以上かつ９２．０％以下であることを特徴とするボールペンリフィル。
【請求項２】
前記筆記ボール径は０．７ｍｍ以上であることを特徴とする請求項１記載のボールペンリフィル。
【請求項３】
前記油性インクの粘度は、３，０００ｍＰａ・ｓｅｃ以下であることを特徴とする請求項１又は２記載のボールペンリフィル。
【発明の詳細な説明】
【技術分野】
【０００１】
本発明は、油性ボールペンのボールペンリフィルに関する。
【背景技術】
【０００２】
従来の一般的なボールペンのボールペンチップは、筆記ボールを保持するホルダーに、該筆記ボールを収容するボールハウスが形成され、そのボールハウスの底面には筆記ボールの曲面が転写されたボール受座が形成されている。このボール受座は、筆記時に筆記ボールにかかる荷重を受ける部分であり、その形状によって筆記性が左右されることが知られている。また、ボールペンに搭載されるインクは水性インク、水性ゲルインク、油性インク等様々な性状があり、それらに応じてこのボール受座の適切な形状が決定される。
筆記ボールとボール受座との間には筆記時に常に摩擦が生じている。そして、通常、ホルダーの材料硬度は筆記ボールのそれより低いため摩擦により摩耗が生ずる。このため、ボールペンチップの耐久性に鑑みると筆記ボールとの接触面積はできるだけ大きくするのが望ましい。また、下記の特許文献１でも指摘されているように、筆記時に筆記ボールがホルダー長手方向の中心軸線からずれることで、筆跡にいわゆる「ボテ」が生じ、これを抑制するためにもボール受座の径を大きくすることは有効である。
【０００３】
一方、ボール受座を大きくすることで、筆記ボールがボール受座に嵌入する割合が大きくなる。そうすると、ボールハウス内で筆記ボールが閉める部分以外の体積（いわゆる「インク溜まり」）が小さくなることで、筆記に伴うインクの追従不足によるカスレという問題点が生ずる。この対策としてはボールハウス内径を大きくすることが考えられる。このようなカスレをボールハウス内径の調節により解決しようとする技術は下記の特許文献２に開示されている。
【特許文献１】特開２００５−２１２３０４号公報
【特許文献２】特開平１０−１９３８６３号公報
【発明の開示】
【発明が解決しようとする課題】
【０００４】
上述の通りボール受座を大きくすると筆記ボールとボール受座との接触面積が増え、筆記ボールがボール受座に張り付く現象が発生しやすい。この現象により、書き出しの時にボールが回転しにくくなり描線がかすれるという現象が起こりやすい。
このような問題は、特に油性ボールペンのようにインクの粘度が高い場合に顕著であり、さらに、ノック式ボールペンのように、キャップを設けないことで筆記先端は常に外気に曝されているようなものでは使用開始後比較的短時間でインク粘度が高くなりやすい。これを解消するにはインク溶媒の揮発性を低くすることも考えられるが、そうすると描線の乾燥性が悪くなるという問題が新たに生ずる。
【０００５】
そこで本発明は、粘度の高い油性インクを使用するボールペンリフィルにおいて、ボール受座径とボールハウス内径との適切なバランスを模索することで、インクの耐乾燥性を確保しつつ書き出しのカスレや筆記中のボテを発生しにくくすることを課題とする。
【課題を解決するための手段】
【０００６】
前記の課題を解決するために、本発明に係るボールペンリフィル10は、
（Ａ）（ａ）円柱材を切削して形成されるホルダー40と、
（ｂ）前記ホルダー40の一端の外周を先細に切削して形成したテーパー部41と、
（ｃ）前記テーパー部41の内周を切削して形成したボールハウス43と、
（ｄ）前記ホルダー40の他端から前記ボールハウス43の近傍まで穿孔して形成したバック孔45と、
（ｅ）前記ボールハウス43と前記バック孔45との間を貫通して形成した断面円形の孔であるインク孔46と、
（ｆ）前記インク孔46の周囲に等配された複数箇所を前記ボールハウス43側から切削して該インク孔46に開放するように形成した溝であるチャンネル溝47と、
（ｇ）前記ボールハウス43内に挿入される筆記ボール31と、
（ｈ）前記ボールハウス43の底面44であって前記筆記ボール31をバック孔45方向へ押圧した際に該筆記ボール31の曲面が転写されたボール受座48と、
（ｉ）前記テーパー部41の先端部分を内側にカシメ加工して形成したカシメ部49と、
（ｊ）前記バック孔45内部に挿入されるとともに先端部分が前記筆記ボール31を先端へ押圧する押圧棒33として形成されている押し荷重が０．０１Ｎ以上かつ０．０９Ｎ以下のスプリング32とを備えたボールペンチップ30と、
（Ｂ）粘度が５００ｍＰａ・ｓｅｃ以上の油性インク12を収容した両端開放円筒状のインク収容管11と、
（Ｃ）前記インク収容管11と前記ボールペンチップ30とを連結する継手20と
を備えたボールペンリフィル10であって、
前記ボールハウス内径が前記筆記ボール径の１０１．５％以上かつ１０５．５％以下であり、
前記ボール受座径が前記筆記ボール径の８５．０％以上かつ９２．０％以下であることを特徴とする。
【０００７】
上述のように、本件発明に係るボールペンリフィル10は、「ボールペンチップ30」と、「インク収容管11」と、「継手20」から構成されている。
「ホルダー40」とは、ボールペンチップ30から「筆記ボール31」と「スプリング32」とを除いた本体部分をいい、ステンレス綱等の金属製円柱材を切削することにより形成される。このホルダー40の先端側を先細に切削した部分を「テーパー部41」という。なお、ホルダー40後端側については特に限定はないが、外径を減じるように切削して「継手20」に挿入される部分を形成することもできる。
「ボールハウス43」とは、テーパー部41の先端側から内周を切削して形成された空間をいい、この中に筆記ボール31が挿入される。
【０００８】
「バック孔45」とは、ホルダー40の後端からボールハウス43に達しない近傍までを切削した中心孔で、この中を「インク収容管11」に収容される油性インク12がボールハウス43まで誘導されることとなっている。
「インク孔46」とは、バック孔45とボールハウス43とを連結するバック孔45よりも小径な中心孔である。
「チャンネル溝47」とは、インク孔46周囲に複数等配された軸方向の溝である。前記バック孔45の先端まで誘導された油性インク12は、インク孔46からこのチャンネル溝47を経由して、ボールハウス43へ至ることとなる。
【０００９】
「筆記ボール31」とは、超硬ステンレス綱等の金属製球体であり、前記ボールハウス43に挿入される。ボールハウス43へ至った油性インク12は、筆記ボール31表面に付着して筆記面に転写されることになる。
「カシメ部49」とは、筆記ボール31を挿入した後のテーパー部41小口を内方にカシメ加工して内径を減じ、筆記ボール31の落下を防止する構造である。
「ボール受座48」とは、ボールハウス43に挿入された筆記ボール31を、いわゆる「タタキ加工」により後方に押圧して、ボールハウス43の底面44に筆記ボール31の曲面が転写されてできた凹曲面をいう。
【００１０】
「スプリング32」は、先端部分が真っ直ぐに伸びたコイルバネである。この真っ直ぐに伸びた部分が「押圧棒33」である。スプリング32のコイル部分はバック孔45内に位置するが、押圧棒33の部分はここからインク孔46を通ってボールハウス43へ至り筆記ボール31の後端に当接し、スプリング32の押し荷重によりこれを先端方向へ付勢押圧することとなっている。
「インク収容管11」とは、ポリプロピレン等の比較的硬度の低い合成樹脂製の管であり、内部に油性インク12を収容する。
「継手20」とは、インク収容管11の先端とホルダー40の後端とを連結する部品であり、合成樹脂、金属等により形成可能である。
【００１１】
本件発明で使用される油性インク12の粘度は５００ｍＰａ・ｓｅｃ以上であり、さらには３，０００ｍＰａ・ｓｅｃ以下であることが望ましい。ここで、油性インク12の粘度が５００ｍＰａ・ｓｅｃ未満であるときには、描線の滲み等の不具合が生ずる。一方、３，０００ｍＰａ・ｓｅｃを超えれば、いかに本件発明の数値範囲であっても筆記時のボテは避けられない。
本件発明におけるボールハウス内径は、筆記ボール径の１０１．５％以上かつ１０５．５％以下で、望ましくは１０２．５％〜１０４．５％である。ここで、ボールハウス内径が筆記ボール径の１０１．５％未満であるときには、インク流出量が少なくなる。一方、１０５．５％を超えるときには、逆にインク流出量が多すぎる。
【００１２】
本件発明におけるボール受座径は、筆記ボール径の８５．０％以上かつ９２．０％以下であり、望ましくは８７．０％〜９０．０％である。ここで、ボール受座径が筆記ボール径の８５．０％未満であるときには、ホルダー40の摩耗が大きいとともに描線のボテが生じやすくなる。一方、９２．０％を超えるときには、描線のカスレが生じやすくなる。
本件発明におけるスプリング32の押し荷重は、０．０１Ｎ以上かつ０．０９Ｎ以下であり、望ましくは０．０３Ｎ〜０．０７Ｎである。ここで、スプリング32の押し荷重が０．０１Ｎ未満であるときには、筆記ボール31がボール受座48に張り付きやすくなり、書き出しの描線カスレが生じやすくなる。一方、０．０９Ｎを超えるときには、筆記ボール31の回転抵抗が大きくなり紙面への引っかかりが生じやすく書き味を損なうこととなる。
【００１３】
以上の構成により、本件発明では、常に筆記ボール31とボール受座48とが密着しないようになり、ホルダー40の摩耗が抑えられてなおかつ書き出しのカスレも発生しにくくなる。また、これらの効果は、より筆記ボール31とボール受座径との接触面積が大きい直径０．７ｍｍ以上の比較的大径の筆記ボール31を備える場合により顕著となる。さらに、本件発明は、耐乾燥効果にも富むので、ノック式ボールペンのような、筆記先端が常に外気に曝されているような使用態様にも適することとなっている。
【発明の効果】
【００１４】
本発明は、上述のように構成されているので、以下に記す効果を奏する。
すなわち、粘度の高い油性インクを使用するボールペンリフィルにおいて、ボール受座径とボールハウス内径との適切なバランスをとることで、インクの耐乾燥性を確保しつつ書き出しのカスレや筆記中のボテが発生しにくくなっている。
【発明を実施するための最良の形態】
【００１５】
以下、図面を参照しつつ、本発明の１の実施の形態を説明する。
本実施の形態に係るボールペンリフィル10は、図１の一部断面正面図に示すように、ボールペンチップ30と、継手20と、インク収容管11とから構成される。
インク収容管11は、ポリプロピレン製の管であり、その内部には油性インク12が充填される。
ボールペンチップ30は、図２の正面図に示すような外径を呈する。すなわち、ステンレス鋼製の円柱材のホルダー40の先端部分が先細に略円錐状に切削してテーパー部41として形成されるとともに、後端部分は外径を減じた被挿入部42として形成されている。さらにテーパー部41の内側に抱持されるボールの先端部がテーパー部41先端縁から露出するとともに、テーパー部41小口が内方に押圧されて縮径変形されたカシメ部49として形成されている。
【００１６】
ボールペンリフィル10の内部は、図３の一部断面正面図のように形成される。すなわち、テーパー部41の先端内周が切削されて、筆記ボール31を抱持するボールハウス43が形成されている。一方、ホルダー40の後端からは、テーパー部41の後端付近の位置までバック孔45が穿孔されている。さらに、バック孔45とボールハウス43とを連結するバック孔45より内径の小さいインク孔46が穿孔されている。また、ボールハウス43の底面44から、インク孔46の回りに放射状に等配されたチャンネル溝47が形成されている。
バック孔45の内部には、コイルバネにより形成されたスプリング32が挿入されている。スプリング32の先端は先端に向け真っ直ぐに伸びた押圧棒33として形成されている。
【００１７】
ボールペンチップ30を形成する際には、図４（Ａ）の一部断面正面図に示すように、ボールハウス43に筆記ボール31を挿入してさらにカシメ部49が形成された後、筆記ボール31を後端方向に押圧するタタキ工程が施される。これにより、ボールハウス43の底面44に筆記ボール31の球面が転写されてボール受座48が形成される。本実施形態では、同図に示す筆記ボール径（φＡ）は０．７ｍｍ〜１．０ｍｍであり、ボールハウス内径（φＢ）はφＡの１０１．５％〜１０５．５％に切削され、さらにボール受座径（φＣ）はφＡの８５．０％〜９２．０％に形成される。
また、スプリング32の押し荷重は０．０１Ｎ〜０．０９Ｎに調整されている。これにより筆記ボール31は押圧棒33により先端方向に付勢され、図４（Ｂ）に示すようにカシメ部49の内縁に押圧される。これにより、筆記ボール31とボール受座48との密着が解消される。
【００１８】
ＡＢＳ樹脂製の継手20は、図１に示すように、その後端部の中心付近がインク収容管11先端内部に挿入されるとともに、周縁部が拡径してインク収容管11先端外周を覆っている。一方、継手20の先端部には、ホルダー40の被挿入部42が圧入される。さらに、継手20の内部空間の途中部分は径を減じた縮径部21となっており、その先端側には逆止ボール22が挿入され、さらにその先端側に落下防止片23が挿入されている。これにより、継手20は、ボールペンチップ30とインク収容管11とを連結しており、インク収容管11に収容された油性インク12は継手20を介してボールペンチップ30に至り、そこでバック孔45、インク孔46、さらにチャンネル溝47を通ってボールハウス43に至り、筆記ボール31表面に付着して筆記面に転写されることになる。
【実施例】
【００１９】
以下、本発明の実施例を、比較例との対比において説明する。
（１）実施例及び比較例
各実施例及び比較例に係るボールペンリフィル10として、前記発明を実施するための最良の形態で記載した形状の市販予定ボールペンリフィル（ＳＸＲ−７（ボール径０．７ｍｍ）又はＳＸＲ−１０（ボール径１．０ｍｍ）、インク色：黒、三菱鉛筆）を作製した。ただし、ボールペンチップ30の筆記ボール径、ボール受座径及びボールハウス内径、並びにスプリング32の押し荷重については後述の各実施例及び比較例に記載した通りとした。また、油性インク12のインク粘度については、上記ボールペンリフィルで使用されているインクの各成分を加減することにより、４００ｍＰａ・ｓｅｃ、５００ｍＰａ・ｓｅｃ、１，５００ｍＰａ・ｓｅｃ、３，０００ｍＰａ・ｓｅｃ及び３，５００ｍＰａ・ｓｅｃに調整した。
【００２０】
（２）試験項目
下記の各試験はいずれも、各実施例及び比較例のボールペンリフィル10を市販予定ボールペン（ＳＸＮ−２１０、三菱鉛筆）に装着したものを用いて実施した。
（２−１）試験１：インク流出量試験
ＪＩＳ規格Ｓ６０３９に準拠した筆記試験機（ミニテック筆記試験機、三菱鉛筆）を用い、筆記速度４ｍ／分、筆記角度７０°、筆記加重１．９６Ｎ及び筆記距離１００ｍの筆記条件で、ＪＩＳ規格Ｐ３２０１に準拠した筆記試験紙上に螺旋筆記することにより筆記試験を行った。判定方法は、使用した筆記ボール径ごとに以下の基準に従い、１００ｍ筆記終了時におけるインク流出量（インク消費量）を、その描線の質に鑑みより適正な順に「Ａ」、「Ｂ」、「Ｃ」及び「Ｄ」とした。
【００２１】
（２−１−１）筆記ボール径０．７ｍｍの場合
Ａ：４３ｍｇ超かつ４８ｍｇ以下
Ｂ：４１ｍｇ超かつ４３ｍｇ以下又は４８ｍｇ超かつ５０ｍｇ以下
Ｃ：３９ｍｇ超かつ４１ｍｇ以下又は５０ｍｇ超かつ５２ｍｇ以下
Ｄ：３９ｍｇ以下又は５２ｍｇ超
（２−１−２）筆記ボール径１．０ｍｍの場合
Ａ：４８ｍｇ超かつ５３ｍｇ以下
Ｂ：４６ｍｇ超かつ４８ｍｇ以下又は５３ｍｇ超かつ５５ｍｇ以下
Ｃ：４４ｍｇ超かつ４６ｍｇ以下又は５５ｍｇ超かつ５７ｍｇ以下
Ｄ：４４ｍｇ以下又は５７ｍｇ超
（２−２）試験２：インク追従性試験
ＪＩＳ規格Ｐ３２０１に準拠した筆記試験紙上に、７〜１０秒の間に５５〜６０ｍｍの大きさの螺旋を２５〜３０個連続的に筆記することにより筆記試験を行った。筆記した描線中、カスレの長さがどのくらいであるかにつき、下記の基準に従い「Ａ」、「Ｂ」、「Ｃ」及び「Ｄ」とした。
【００２２】
Ａ：１ｍｍ未満
Ｂ：１ｍｍ以上かつ３ｍｍ未満
Ｃ：３ｍｍ以上かつ５ｍｍ未満
Ｄ：５ｍｍ以上
（２−３）試験３：耐ボテ性能試験
前記（２−１）と同様の条件で筆記試験を実施し、筆記終了時に、ホルダー40に付着したインク塊（ボテ）の量を０（なし）、１（少ない）、２（やや多い）、３（多い）及び４（極めて多い）の５段階で点数化し、また、筆記面に付着したボテの量を同様に５段階で点数化した。そして、これらの点数の合計により、下記の基準に従い「Ａ」、「Ｂ」、「Ｃ」及び「Ｄ」とした。
【００２３】
Ａ：０〜１点
Ｂ：２〜３点
Ｃ：４〜５点
Ｄ：６〜８点
（２−４）試験４：耐摩耗性試験
前記（２−１）と同様の条件（ただし筆記距離は１，０００ｍとした。）で筆記試験を実施した。そして、筆記前後における筆記ボール31頂点とカシメ部49の先端縁との距離を測定してその差により下記の基準に従い「Ａ」、「Ｂ」、「Ｃ」及び「Ｄ」とした。
【００２４】
Ａ：１μｍ未満
Ｂ：１μｍ以上２μｍ未満
Ｃ：２μｍ以上３μｍ未満
Ｄ：３μｍ以上
（２−５）試験５：初筆性能試験
前記（２−１）と同様の条件で筆記試験を実施した。そして、筆記開始時からのカスレ距離を測定し、その長さにより下記の基準に従い「Ａ」、「Ｂ」、「Ｃ」及び「Ｄ」とした。
【００２５】
Ａ：１ｍｍ未満
Ｂ：１ｍｍ以上３ｍｍ未満
Ｃ：３ｍｍ以上５ｍｍ未満
Ｄ：５ｍｍ以上
（２−６）試験６：書き味試験
前記（２−２）と同様の条件で筆記試験を実施した。その際の書き味を下記の基準で官能評価した。
Ａ：紙への引っかかり感がなく滑るように滑らかな書き味であった
Ｂ：紙への引っかかり感がなく滑らかな書き味であった
Ｃ：やや紙への引っかかり感があるものの概ね滑らかな書き味であった
Ｄ：紙への引っかかり感があり滑らかな書き味ではない
（３）ボール受座径の検討
筆記ボール径が０．７ｍｍの場合において、インク粘度を５００ｍＰａ・ｓｅｃ、ボールハウス内径を０．７３５ｍｍ（筆記ボール径比１０５．０％）及びスプリング32の押し荷重を０．０３Ｎに固定した条件下で、ボール受座径の適正な範囲を検討した。すなわち、ボール受座径を下記表１の通り０．５８０ｍｍ〜０．６６０ｍｍにした場合において、各試験項目の評価は下記表１の通りであった。
【００２６】
【表１】
0004756640.tif 000002
同様に、筆記ボール径が１．０ｍｍの場合において、インク粘度を５００ｍＰａ・ｓｅｃ、ボールハウス内径を１．０４５ｍｍ（筆記ボール径比１０４．５％）及びスプリング32の押し荷重を０．０３Ｎに固定した条件下で、ボール受座径の適正な範囲を検討した。すなわち、ボール受座径を下記表１の通り０．８４０ｍｍ〜０．９３０ｍｍにした場合において、各試験項目の評価は下記表２の通りであった。
【００２７】
【表２】
0004756640.tif 000003
上記の結果、いずれの筆記ボール径においても、ボール受座径が筆記ボール径比８５．０％を下回る比較例１及び比較例３では試験３（耐ボテ性能）及び試験４（耐摩耗性）の結果が劣ることとなった。また、ボール受座径が筆記ボール径比９２．０％を上回る比較例２及び比較例４では試験２（インク追従性）の結果が劣ることとなった。それに対し、ボール受座径が筆記ボール径比８５．０％〜９２．０％の範囲内である実施例１〜実施例４及び実施例５〜実施例８では悪くとも評価Ｃが見られたのみで、いずれの試験項目でも好評価が得られた。以上の検討より、ボール受座径の筆記ボール径比は、耐ボテ性能及び耐摩耗性の観点より８５．０％以上、並びにインク追従性の観点より９２．０％以下が好適である。
【００２８】
特に、実施例２及び実施例３並びに実施例６及び実施例７ではいずれの試験項目でも評価Ａか評価Ｂが得られた。このことから、ボール受座径の筆記ボール径比は、８７．０％以上９０．０％以下がより望ましいことが判明した。
（４）ボールハウス内径の検討
筆記ボール径が０．７ｍｍの場合において、インク粘度を５００ｍＰａ・ｓｅｃ、ボール受座径を０．６３０ｍｍ（筆記ボール径比９０．０％）及びスプリング32の押し荷重を０．０３Ｎに固定した条件下で、ボールハウス内径の適正な範囲を検討した。すなわち、ボールハウス内径を下記表３の通り０．７０５ｍｍ〜０．７４５ｍｍにした場合において、各試験項目の評価は下記表３の通りであった。
【００２９】
【表３】
0004756640.tif 000004
同様に、筆記ボール径が１．０ｍｍの場合において、インク粘度を５００ｍＰａ・ｓｅｃ、ボール受座径を０．９００ｍｍ（筆記ボール径比９０．０％）及びスプリング32の押し荷重を０．０３Ｎに固定した条件下で、ボールハウス内径の適正な範囲を検討した。すなわち、ボールハウス内径を下記表４の通り１．０１０ｍｍ〜１．０６０ｍｍにした場合において、各試験項目の評価は下記表４の通りであった。
【００３０】
【表４】
0004756640.tif 000005
上記の結果、いずれの筆記ボール径においても、ボールハウス内径が筆記ボール径比１０１．５％を下回る比較例５及び比較例７並びに１０５．５％を上回る比較例６及び比較例８では試験１（インク流出量）の結果が劣ることとなった。それに対し、ボールハウス内径が筆記ボール径比１０１．５％〜１０５．５％の範囲内である実施例９〜実施例１２及び実施例１３〜実施例１６ではいずれの試験項目でも好評価が得られた。以上の検討より、ボールハウス内径の筆記ボール径比は、インク流出量の観点より１０１．５％以上１０５．５％以下が好適である。
【００３１】
特に、実施例１０及び実施例１１並びに実施例１４及び実施例１５では試験１の結果が評価Ａとなった。このことから、ボールハウス内径の筆記ボール径比は、１０２．５％以上１０４．５％以下がより望ましいことが判明した。
（５）スプリング32押し荷重の検討
筆記ボール径が０．７ｍｍの場合において、インク粘度を５００ｍＰａ・ｓｅｃ、ボール受座径を０．６１０ｍｍ（筆記ボール径比８７．１％）及びボールハウス内径を０．７３５ｍｍ（筆記ボール径比１０５．０％）に固定した条件下で、スプリング32押し荷重の適正な範囲を検討した。すなわち、スプリング32押し荷重を下記表５の通り０．００Ｎ〜０．１０Ｎにした場合において、各試験項目の評価は下記表５の通りであった。
【００３２】
【表５】
0004756640.tif 000006
同様に、筆記ボール径が１．０ｍｍの場合において、インク粘度を５００ｍＰａ・ｓｅｃ、ボール受座径を０．８７０ｍｍ（筆記ボール径比８７．０％）及びボールハウス内径を１．０４５ｍｍ（筆記ボール径比１０４．５％）に固定した条件下で、スプリング32押し荷重の適正な範囲を検討した。すなわち、スプリング32押し荷重を下記表６の通り０．００Ｎ〜０．１０Ｎにした場合において、各試験項目の評価は下記表６の通りであった。
【００３３】
【表６】
0004756640.tif 000007
上記の結果、いずれの筆記ボール径においても、スプリング32押し荷重が０．０１Ｎを下回る比較例９及び比較例１１では試験５（初筆性能）の結果が劣ることとなった。また、スプリング32押し荷重が０．０９Ｎを上回る比較例１０及び比較例１２では試験６（書き味）の結果が劣ることとなった。それに対し、スプリング32押し荷重が０．０１Ｎ〜０．０９Ｎの範囲内である実施例１７〜実施例２０及び実施例２１〜実施例２４では悪くとも評価Ｃが見られたのみで、いずれの試験項目でも好評価が得られた。以上の検討より、スプリング32押し荷重は、初筆性能の観点より０．０１Ｎ以上、及び書き味の観点より０．０９Ｎ以下が好適である。
【００３４】
特に、実施例１８及び実施例１９並びに実施例２２及び実施例２３ではいずれの試験項目でも評価Ａか評価Ｂが得られた。このことから、スプリング32押し荷重は、０．０３Ｎ以上０．０７Ｎ以下がより望ましいことが判明した。
（６）インク粘度の検討
筆記ボール径が０．７ｍｍの場合において、ボール受座径を０．６１０ｍｍ（筆記ボール径比８７．１％）、ボールハウス内径を０．７１５ｍｍ（筆記ボール径比１０２．１％）及びスプリング32押し荷重を０．０３Ｎに固定した条件下で、インク粘度の低粘度側における適正な範囲を検討した。すなわち、インク粘度を下記表７の通り４００〜３，０００ｍＰａ・ｓｅｃにした場合において、各試験項目の評価は下記表７の通りであった。
【００３５】
【表７】
0004756640.tif 000008
同様に、筆記ボール径が１．０ｍｍの場合において、ボール受座径を０．８７０ｍｍ（筆記ボール径比８７．０％）、ボールハウス内径を１．０２５ｍｍ（筆記ボール径比１０２．５％）及びスプリング32押し荷重を０．０３Ｎに固定した条件下で、インク粘度の低粘度側における適正な範囲を検討した。すなわち、インク粘度を下記表８の通り４００〜３，０００ｍＰａ・ｓｅｃにした場合において、各試験項目の評価は下記表８の通りであった。
【００３６】
【表８】
0004756640.tif 000009
上記の結果、いずれの筆記ボール径においても、インク粘度が５００ｍＰａ・ｓｅｃを下回る比較例１３及び比較例１４では試験１において、インク流出量が劣ることとなった。すなわち、描線の滲みが著しく、使用に耐えるものではなかった。
次に、筆記ボール径が０．７ｍｍの場合において、ボール受座径を０．６３０ｍｍ（筆記ボール径比９０．０％）、ボールハウス内径を０．７１５ｍｍ（筆記ボール径比１０２．１％）及びスプリング32押し荷重を０．０３Ｎに固定した条件下で、インク粘度の高粘度側における適正な範囲を検討した。すなわち、インク粘度を下記表９の通り５００〜３，５００ｍＰａ・ｓｅｃにした場合において、各試験項目の評価は下記表９の通りであった。
【００３７】
【表９】
0004756640.tif 000010
同様に、筆記ボール径が１．０ｍｍの場合において、ボール受座径を０．９００ｍｍ（筆記ボール径比９０．０％）、ボールハウス内径を１．０２５ｍｍ（筆記ボール径比１０２．５％）及びスプリング32押し荷重を０．０３Ｎに固定した条件下で、インク粘度の高粘度側における適正な範囲を検討した。すなわち、インク粘度を下記表１０の通り５００〜３，５００ｍＰａ・ｓｅｃにした場合において、各試験項目の評価は下記表１０の通りであった。
【００３８】
【表１０】
0004756640.tif 000011
上記の結果、いずれの筆記ボール径においても、インク粘度が３，０００ｍＰａ・ｓｅｃを上回る比較例１５及び比較例１６では試験３において、耐ボテ性能が劣ることとなった。すなわち、ボテの発生が極めて多く、使用に耐えるものではなかった。
以上の検討を総合し、インク粘度は５００ｍＰａ・ｓｅｃ以上３，０００ｍＰａ・ｓｅｃ以下が好適であることが判明した。
【図面の簡単な説明】
【００３９】
【図１】本発明の１の実施の形態に係るボールペンリフィルを一部断面正面図で示したものである。
【図２】本発明の１の実施の形態に係るボールペンリフィルにおけるボールペンチップを正面図で示したものである。
【図３】本発明の１の実施の形態に係るボールペンリフィルにおけるボールペンチップを一部断面正面図で示したものである。
【図４】本発明の１の実施の形態に係るボールペンリフィルにおけるボールペンチップの（Ａ）ボール受座形成の様子及び（Ｂ）押圧棒による押圧の様子を一部断面正面図で示したものである。
【符号の説明】
【００４０】
10  ボールペンリフィル    11  インク収容管          12  油性インク
20  継手                  21  縮径部                22  逆止ボール
23  落下防止片
30  ボールペンチップ      31  筆記ボール            32  スプリング
33  押圧棒
40  ホルダー              41  テーパー部            42  被挿入部
43  ボールハウス          44  底面                  45  バック孔
46  インク孔              47  チャンネル溝          48  ボール受座
49  カシメ部
【図１】
0004756640.tif 000012
【図２】
0004756640.tif 000013
【図３】
0004756640.tif 000014
【図４】
0004756640.tif 000015